(57)【要約】【課題】本発明は、牌山だけでなく配牌も自動的に形成することにより競技者の手数をさらに少なくした自動麻雀卓を提供することにある。【解決手段】本発明に係る自動麻雀卓１０は、麻雀牌を天板下方の麻雀卓内部に投入するための開閉蓋１８付き牌投入口１６を有する天板１２を上面に備えた自動麻雀卓であって、麻雀卓内部には、投入された牌を撹拌する牌撹拌手段２６と、撹拌されている牌を牌撹拌手段から取り出す牌取り出し手段３４と、取り出された牌を牌取り出し手段から誘導する牌案内手段５０と、誘導された牌を３段積みにする段積み手段１００と、段積みされた牌列を２段積みと１段積みとに積み替える積み替え手段２００と、積み替えられた牌列を天板上に上昇させる牌浮上手段３００とを備えてなるものである。【選択図】        図３
2004242804.tif 000002
【特許請求の範囲】
【請求項１】
麻雀卓内部に２段積みの牌と１段積みの牌とを天板上に形成する機構を備えたことを特徴とする自動麻雀卓。
【請求項２】
麻雀牌を天板下方の麻雀卓内部に投入するための牌投入口を有する天板を上面に備えた自動麻雀卓であって、麻雀卓内部には、投入された牌を３段積みにする段積み手段と、段積みされた牌列を２段積みと１段積みとに積み替える積み替え手段と、積み替えられた牌列を天板上に上昇させる牌浮上手段とを備えてなることを特徴とする自動麻雀卓。
【請求項３】
麻雀牌を天板下方の麻雀卓内部に投入するための開閉蓋付き牌投入口を有する天板を上面に備えた自動麻雀卓であって、麻雀卓内部には、投入された牌を撹拌する牌撹拌手段と、撹拌されている牌を牌撹拌手段から取り出す牌取り出し手段と、取り出された牌を牌取り出し手段から誘導する牌案内手段と、誘導された牌を３段積みにする段積み手段と、段積みされた牌列を２段積みと１段積みとに積み替える積み替え手段と、積み替えられた牌列を天板上に上昇させる牌浮上手段とを備えてなることを特徴とする自動麻雀卓。
【発明の詳細な説明】
【０００１】
【発明の属する技術分野】
本発明は自動麻雀卓に関し、麻雀競技者の手数をより一層少なくして麻雀ゲームを行うことができる自動麻雀卓に関する。なお、本明細書において「麻雀卓」は「自動麻雀卓」を、「牌」は「麻雀牌」を、「牌列」は「１列に並んだ麻雀牌」をそれぞれ意味するものとする。
【０００２】
【従来の技術】
従来より、特許文献１〜５に示されるように、麻雀卓内部において二段積みの牌列を機械的に形成し、この二段積みの牌列を天板上に上昇させて、天板上に牌山（ゲーム開始前に、通常、数牌２７種１０８枚、字牌７種２８枚の合計１３６枚の牌を４分した３４枚を１７枚２段積みにして各競技者の前に配置した牌列の山）を自動的に形成する麻雀卓が知られている。
【０００３】
【特許文献１】特開昭６１−２３８２８０号公報
【０００４】
【特許文献２】特開昭６１−２４４３８４号公報
【０００５】
【特許文献３】特開昭６１−２４４３８５号公報
【０００６】
【特許文献４】特開昭６１−２７２０７６号公報
【０００７】
【特許文献５】特開２００２−３１５９５５公報
【０００８】
【発明が解決しようとする課題】
しかしながら、上記のような麻雀卓においては、牌山は、麻雀卓により自動的に形成されるものの、配牌（各競技者が手配として使用する１３枚（４枚１組を３組＋１枚）の牌列）は各競技者自らの手で牌山から取って来なければならない面倒さがある。
【０００９】
そこで、本発明者は、鋭意研究を重ね、牌山だけでなく配牌も自動的に形成することにより競技者の手数をさらに少なくした麻雀卓を開発した。
【００１０】
【課題を解決するための手段】
本発明に係る自動麻雀卓は、麻雀卓内部に２段積みの牌と１段積みの牌とを天板上に形成する機構を備えたことを特徴とするものである。
【００１１】
このように構成することにより、天板上に自動的に牌山と配牌とを形成することが可能となる。
【００１２】
また、本発明に係る自動麻雀卓として、麻雀牌を天板下方の麻雀卓内部に投入するための牌投入口を有する天板を上面に備えた自動麻雀卓であって、麻雀卓内部には、投入された牌を３段積みにする段積み手段と、段積みされた牌列を２段積みと１段積みとに積み替える積み替え手段と、積み替えられた牌列を天板上に上昇させる牌浮上手段とを備えるようにしてもよい。
【００１３】
このように構成すると、段積み手段により３段積みされた牌列は、積み替え手段により２段積みの牌列と１段積みの牌列とに積み替えられ、これら２段積みの牌列と１段積みの牌列とが牌浮上手段により天板上に上昇し、天板上において、そのうちの２段が牌山として使用でき、残る１段が配牌として使用できる。
【００１４】
さらに、本発明に係る自動麻雀卓として、麻雀牌を天板下方の麻雀卓内部に投入するための開閉蓋付き牌投入口を有する天板を上面に備えた自動麻雀卓であって、麻雀卓内部には、投入された牌を撹拌する牌撹拌手段と、撹拌されている牌を牌撹拌手段から取り出す牌取り出し手段と、取り出された牌を牌取り出し手段から誘導する牌案内手段と、誘導された牌を３段積みにする段積み手段と、段積みされた牌列を２段積みと１段積みとに積み替える積み替え手段と、積み替えられた牌列を天板上に上昇させる牌浮上手段とを備えるようにしてもよい。
【００１５】
このように構成すると、麻雀卓内で、牌の撹拌、撹拌された牌の取り出し、取り出された牌の誘導、誘導された牌の３段積み、３段積みされた牌列を２段積みの牌列と１段積みの牌列とに分ける積み替え、２段積みの牌列と１段積みの牌列とを天板上へ上昇させる牌の浮上が全て自動で行える。
【００１６】
【発明の実施の形態】
次に本発明の一実施例を図面に基づいて説明する。なお、本実施例においては、２７種１０８枚の数牌と７種２８枚の字牌合計１３６枚の麻雀牌を使用し、競技者４人を想定して設定した自動麻雀卓であるが、制御系の設定を変えることにより、麻雀牌の枚数を増減して使用することが可能であり、また、３人の競技者で使用することも可能である。
【００１７】
［麻雀卓の天板及び脚構造］
図１において、１０は上面に天板１２を有する自動麻雀卓である。この天板１２の中央には天板上の麻雀牌１４（１４ａは牌山、１４ｂは配牌）を麻雀卓内部に投入するための牌投入口１６が設けられている。この牌投入口１６は、麻雀ゲーム中は、開閉蓋１８によって閉ざされており、開閉蓋１８は麻雀卓１０に向かってその奥側１８ａが下方に垂下するように手前側１８ｂを天板１２にヒンジ結合して構成されており、開閉蓋１８を垂下させて牌投入口１６を開口すると牌１４を麻雀卓内部に落し入れることができるようになっている。２０は天板中央部に区画して設けた麻雀卓１０を操作するためのスイッチ盤であり、このスイッチ盤２０には、前記開閉蓋１８を開口させるスイッチ２０ａと開閉蓋１８を閉塞するスイッチ２０ｂが備えられ、スイッチ２０ｂを押すと開閉蓋１８が閉塞すると共に、後述するように、段積みされた牌列が天板上に浮上したり、麻雀卓内部に投入された牌の段積みの準備が開始されるようになっている。２２は麻雀卓１０の底部中央に設けられた１本の円柱状の支持脚である。なお、支持脚は４本足の簡単なものや折り畳み式でも差し支えなく、また、必ずしも必要ではなく、適当な台上に麻雀卓を設置して使用するようにしても良い。
【００１８】
［麻雀牌の構造］
麻雀牌１４は、図２に示すように、内部に磁性体が埋設されている。本実施例では、この磁性体として磁石２４を用い、磁石２４は牌１４における文字や図形が表わされた表面と裏面との中間に埋設されている。本実施例の麻雀卓１０においては、これらの牌１４を２組用い、そのうちの１組の牌を使用して天板上で麻雀ゲームを行い、他の１組の牌は、麻雀卓内部で、後述するように、撹拌され、３段に積重ねられた状態で待機させられている。なお、磁石２４は牌１４同士が互いに吸着しない程度のものを用いる。また、この磁性体としては磁石に限らず、鉄片等の他の磁性金属片を埋設してもよく、磁性金属片を使用する場合は牌１４の裏面側に片寄せて埋設する。
【００１９】
［麻雀卓の洗牌システム］
麻雀卓１０は、図３に示すように、天板１２における開閉蓋１８の構造、牌撹拌手段２６、牌取り出し手段３４、及び、牌案内手段５０により洗牌システムＡが構成される。以下、これらの構造について説明する。
【００２０】
［天板における開閉蓋の構造］
図３は、麻雀卓の内部構造の概要を示す概略断面図であり、図４は、開閉蓋１８により牌投入口１６が閉塞されている状態を表した自動麻雀卓１０の平面図である。各開閉蓋１８の裏面には、それぞれスイッチにより作動する不図示の押し上げ作動片が取り付けられており、この押し上げ作動片により開閉蓋１８が押し上げられるときは牌投入口１６が閉塞され、押し上げ作動片による押し上げが解除されたときは開閉蓋１８が垂下し、牌投入口１６が開口して、牌１４を牌投入口１６から麻雀卓内部に落とし込めるようになる。
【００２１】
このように構成したために、開閉蓋１８を開口させるだけで牌１４を天板１２の下方の麻雀卓内部に落下させることができ、また、開閉蓋１８を閉塞するだけで牌投入口１６が塞がり、天板上で麻雀ゲームを行うことが可能となる。
【００２２】
［牌撹拌手段］
図５は自動麻雀卓１０の内部構造の全貌を示す一部切欠図である。
【００２３】
前記天板１２の下方には、牌撹拌手段２６が設けられており、これは、図３に示すように、中央から外方向に若干低くなる円形傘状の回転体２８が、その下面側に取付けられた歯車３０を介してモ―タ３２によって回転されてなるものである。これにより、麻雀ゲーム終了後に天板１２の牌投入口１６から麻雀卓内部に落し入れた牌１４が回転体２８の回転により転動し撹拌されるとともに、牌１４が遠心力によって回転体２８上を外側に移動するようになっている。なお、この回転体２８としては、回転遠心力が充分作用すれば水平な円盤状のものでもよく、また、撹拌用部材を別途配置しても良い。
【００２４】
［牌取り出し手段］
３４は、牌撹拌手段２６から牌１４を、その表裏を選別して取り込むための牌取出し手段であり、前記回転体２８の外側において等間隔４箇所に設けられている。図５の右下部は牌取り出し手段３４をカバー３５で覆った状態であり、右上図はカバー３５を取り去り、牌取り出し手段３４を露出させた状態を表している。この牌取出し手段３４は、図６に示すように、円板の両側を切り欠いた形状の回転部材３６で、その相対向する２箇所に磁石３８，３８を配設してなり、この回転部材３６周縁が前記配撹拌手段２６の回転体２８周縁の上方に牌１４の通過可能な間隔をおいて位置するように設けられている。また、前記磁石３８，３８の後方には、この回転部材３６の下方に突出した可撓性の突片４０，４０が設けられている。この回転部材３６は、図３に示すように下方に歯車４２を有する軸４４によって回転可能に支持されており、この回転部材３６の磁石３８と牌撹拌手段２６の回転体２８周縁とが同方向でほぼ同速度に回転するように回転体２８の歯車３０と回転部材３６の歯車４２とが噛合され、モ―タ３２によって連動回転するように構成されている。前記回転部材３６の下方には、回転体２８上の牌１４を吸着して待機しておくための磁石４６が、後述する牌案内手段５０の基部５６における回転体２８側に配設されている。前記回転部材３６の磁石３８は、その下面に前記牌１４の裏側が吸着するように、回転部材３６の磁石３８と牌１４の磁石２４との極性を決め、かつ前記の牌待機用の磁石４６は、その回転体２８側の面と前記牌１４の裏面側とが吸着するように、この磁石４６と牌１４の磁石２４との極性を決めている。例えば、牌１４の磁石２４における表面側をＮ極、裏面側をＳ極とした場合には、回転部材３６の磁石３８における下面側および磁石４６における回転体２８側の面のそれぞれをＮ極とする。また、各磁石の磁力は、回転部材３６の磁石３８、牌待機用の磁石４６、牌１４の磁石２４の順に弱くする。なお、上記のＮ極とＳ極とを逆にして実施することも可能である。したがって、図６に示すように、牌撹拌手段２６の回転体２８周縁を回転している様々な状態の牌１４は、牌待機用の磁石４６に吸着され、その位置で一旦待機する。この場合、牌１４の裏面側が上向きや下向きのものは、約１／４回転して牌待機用の磁石４６に吸着し、また、牌１４の裏面側が磁石４６側を向いているものは、そのまま磁石４６に吸着し、さらに、牌１４の裏面側が磁石４６と反対側を向いているものは、ほぼ半回転して牌待機用の磁石４６に吸着するか、あるいは吸着されない場合、牌撹拌手段２６により撹拌される結果、前記と同様に牌待機用の磁石４６に吸着するようになっている。特に、牌待機用の磁石４６については、牌待機用の磁石４６の磁力と牌１４の重量との関係や、磁石４６と牌１４の磁石２４との関係あるいは磁石４６と回転体２８の上面との位置関係によって、牌１４の裏面側が上向きの状態で回転体２８上を移動してきたものを、その状態のままで牌１４の側面が牌待機用の磁石４６に吸着するように設けるのが、回転部材３６の磁石３８による牌１４の吸着作用を一層効率よく行え、実施上特に望ましい。そして待機中にある牌１４の上方に回転部材３６の磁石３８が回転してきたときに、この磁石３８に牌１４の裏面側が吸着して後述する牌案内手段５０を介して段積み手段１００に移送される。
【００２５】
［牌案内手段］
上記のように牌取出し手段３４によって移送されてきた牌１４は図３、図５の左上部、図７、図８に示すように、牌案内手段５０によって誘導され、段積み手段１００に移送される。
【００２６】
この牌案内手段５０は、図５の左上部、図７、図８に示すように、半円形部分から角型の突出部分を形成した盤状の基部５６と、その外縁のほぼ半分にフランジ状に突設した薄板によって形成された誘導路５８とからなっており、前記牌取出し手段３４の回転部材３６と回転体２８との間に位置するように基部５６の角部に設けた支持棒５４によって固定され、この牌案内手段５０の下面が前記牌撹拌手段２６の回転体２８とほぼ同じ高さに配され、この基部５６の半円形部分の中央に前記牌取出し手段３４の軸４４が貫通し、この基部５６の回転体２８の面には、前述したように、牌１４を待機させておくための磁石４６が配設されている。
【００２７】
この誘導路５８は、前記回転部材３６に吸着されて移動する牌１４の軌跡に沿った断面略凹形状に形成され、牌１４が下方や外方へ落ちないようにしている。さらに、この誘導路５８の入口６０側は前記牌撹拌手段２６の回転体２８の周縁と近接し、これと反対側は誘導路５８が外方に湾曲しつつ突出形成され、この突出部分が牌１４の載置部６２として形成され、段積み手段１００の挿入口６４に連結されている。
【００２８】
前記載置部６２の下面には磁石６６が取付けられており、回転部材３６によって移送され、回転部材３６の磁石３８の後方に取り付けた突片４０によって載置部６２の近傍に押されてきた牌１４を、この位置に引き寄せることができるようにしている。
【００２９】
６８は、牌案内手段５０の押入機構であり、前記誘導路５８の載置部６２上の牌１４を段積み手段１００の挿入口６４に順次押し入れるものである。この押入機構６８は、前記誘導路５８の下方において、ピン６９により回転可能に軸支された水平バー７０と、この水平バー７０の先端から上方に突設しかつその上端が前記載置部６２のやや上方において挿入口６４側へ折曲した薄板状の押入片７２とから構成されている。
【００３０】
この水平バー７０の長手方向におけるピン６９側にはコロ７３が取り付けられ、前記牌取出し手段３４の軸４４に係合された断面鼓型のカム７４が回転することによってこの水平バー７０がコロ７３を介して往復動し、押入片７２の水平部分が載置部６２の上を図７に示す矢印方向に往復動し、載置部６２の上の牌１４を段積み手段１００の挿入口６４に押し入れるように設けられている。このとき、この水平バー７０は、バネ７５によって軸４４側に付勢されており、コロ７３を介して水平バー７０を常にカム７４に押し付けている。この押入機構６８の動作の詳細は、回転部材３６の磁石３８に吸着された牌１４が牌案内手段５０の載置部６２上に到達する少し前に回転部材３６と同回転するカム７４によって水平バー７０が外方に押されて前記押入片７２が図７の実線で示す状態に移動され、載置部６２に牌１４が回転部材３６の突片４０によって押されるとともに載置部６２の下面の磁石６６によって引き寄せられて載置部６２上に載置されると、前記カム７４がさらに回転して水平バー７０が図８の矢印方向に動き、載置部６２上の牌１４を段積み手段１００の挿入口６４に押し入れる。
【００３１】
７６は、前記誘導路５８の入口６０側を閉じる仕切り片であり、ソレノイド７８によって上下に移動するものである。８０は、誘導路５８の入口近くの外周面側に取り付けたフォトセンサであり、このフォトセンサ８０は、誘導路５８を通過する牌１４の数を数えて、所定の数の牌１４が通過した時に前記ソレノイド７８を作動させて仕切り片７６を上に移動させて前記誘導路５８の入口６０側を閉ざすためのものである。したがって、本実施例のように、フォトセンサ８０を誘導路５８の入口近くの外周面側に取り付けたことにより、湾曲した誘導路５８を通過する牌は、たとえ誘導路５８に複数の牌が進入して内周側では接触していても、外周側では必ず離隔するので、牌の通過数を数え間違えるおそれがない。これにより、段積み手段１００に所定数以上の牌１４が進入することを確実に防止する。
【００３２】
［牌整列システム］
上記段積み手段１００は、積み替え手段２００と牌浮上手段３００とで、牌整列システムＢを構築しており、図９は、牌整列システムＢの全体を示す概略斜視図であり、図１０は、段積み手段１００と積み替え手段２００とを組み合わせた状態を示す斜視図である。図９及び図１０において、１００は段積み手段であって、前述のように麻雀卓の内部に投入された牌１４が牌撹拌手段２６により撹拌され、牌取り出し手段３４により取り出され、牌案内手段５０により誘導されてきた牌を３段に積み重ねる機能を果たす。２００は積み替え手段であって段積み手段１００により３段積みされた牌列を２段積みと１段積みとに積み替える機能を果たす。図９において３００は牌浮上手段であって積み替え手段２００により２段積みと１段積みとに積み替えられた牌列を麻雀卓の天板１２上に上昇させる機能を果たす。以下、段積み手段１００、積み替え手段２００、牌浮上手段３００について詳述する。
【００３３】
［段積み手段］
図１１は段積み手段１００の斜視図、図１２は段積み手段１００の分解斜視図である。なお、本実施例においてモータ１１０の駆動により待機台である３段積みプレート１１４を上下に回動あるいは水平状態で昇降させる構造が待機台の上下動手段である。図において１０２はＬ字型のベース板であり、その基部１０３は麻雀卓の内部底面に固定される。このベース板１０２には、図においてその前面側に２個のスライド部材１０４が固設されており、その後面側には機内ガイド１０６が固設されている。また、ベース板１０２に固設した前記２個のスライド部材１０４の間にギヤボックス１０８が取り付けられており、このギヤボックス１０８を駆動させるモータ１１０が機内ガイド１０６の下方に取り付けられている。またギヤボックス１０８の一端には回動アーム１１２が取り付けられており、モータ１１０の回転方向によって、回動アーム１１２が上下いずれかの方向に回動するようになっている。前記機内ガイド１０６には待機台となる３段積みプレート１１４が組み込まれており、前記回動アーム１１２の自由端１１３が３段積みプレート１１４の下面に接触するようになっている。また、３段積みプレート１１４の端部には第１突出軸１１６が配され、この第１突出軸１１６は軸受け部材１１８に回転自在に嵌合されているため、３段積みプレート１１４は第１突出軸１１６を中心として上下に回動可能に構成される。したがって、モータ１１０を回転させて回動アーム１１２を上方に回動させれば、その自由端１１３が３段積みプレート１１４を上方に押し上げるので、３段積みプレート１１４は第１突出軸１１６を中心として上方に回動することとなる。またモータ１１０を逆に回転させると回動アーム１１２による押し上げが解除され、３段積みプレート１１４の自重により３段積みプレート１１４は第１突出軸１１６を中心として下方に回動することとなる。
【００３４】
前記軸受け部材１１８は昇降ブラケット１２０に固定され、当該昇降ブラケット１２０は前記スライド部材１０４に固着されており、さらに機内ガイド１０６には第１突出軸１１６が昇降可能なように第１ガイド溝１２２が形成されているため、昇降ブラケット１２０を昇降させると３段積みプレート１１４の第１突出軸１１６側の端部が昇降するように構成されている。前記３段積みプレート１１４の中程には第２突出軸１２４が配されており、３段積みプレート１１４の回動に伴う第２突出軸１２４の移動軌跡に沿って、機内ガイド１０６及びＬ字型ベース板１０２に第２ガイド溝１２６が形成され、かつ、昇降ブラケット１２０にはガイド孔１２８が形成されており、第２ガイド溝１２６の下端１２７及びガイド孔１２８の下端１２９は、第２突出軸１２４の下降を停止する機能を果たし、その結果、３段積みプレート１１４が所定の位置より下方に回動し過ぎるのを防止することができる。一方、ガイド孔１２８の上端１３０は、３段積みプレート１１４が下方から上方へ回動して水平になった位置で第２突出軸１２４と接触するように構成し、その位置において回動アーム１１２がさらに上方に回動すると、第２突出軸１２４がガイド孔の上端１３０を押し上げるので、昇降ブラケット１２０が上昇し、この上昇に伴って昇降ブラケット１２０に配されている軸受け部材１１８及び軸受け部材１１８に嵌合されている第１突出軸１１６が上昇するので、３段積みプレート１１４は水平状態を維持したままで上昇する。また、このようにして上昇した３段積みプレート１１４はモータ１１０を逆に回転させることによって回動アーム１１２を下方に回動させると、スプリング１３２の引っ張り力により昇降ブラケット１２０が下降し、３段積みプレートが下降する。
【００３５】
次に図１３〜図１８により段積み手段１００によって、麻雀牌が３段積みされる過程を説明する。
【００３６】
図１３は３段積みプレート１１４に１段目の麻雀牌１４が並べられる状態を示す概略図である。図において３段積みプレート１１４は、後述するように、上方すなわち図１８に示す３段積みプレート１１４の位置から下降し、センサＳ１０１が３段積みプレート１１４を感知して正回転しているモータ１１０の回転が停止し、３段積みプレート１１４の下降が停止している状態にある。そして、天板上で行われる麻雀ゲームが終了した時点で開閉蓋１８を開口させるスイッチ２０ａを押し、麻雀牌を牌投入口１６から麻雀卓内部に投下させた後、開閉蓋１８を閉塞させるスイッチ２０ｂを押すと、牌投入口１６が開閉蓋１８にて閉塞される。その後、後述する牌浮上手段３００により天板上に牌山１４ａ及び配牌１４ｂが浮上し、かつ、モータ３２が回転して牌撹拌手段２６、牌取り出し手段３４、及び、牌案内手段５０が作動するように設定する。そうすると、前述したように押入機構６８の水平バー７０により、誘導路５８の載置部６２上に案内されてきた麻雀牌１４が段積み手段１００の挿入口６４に順次押し入れられ、図１３に示すように３段積みプレート１１４上に並んで１段目の牌列１４（１）が形成されていくこととなる。そして、誘導路５８のフォトセンサ８０が１２枚の麻雀牌１４を数えたときにソレノイド７８が作動して仕切片７６により誘導路５８の入口６０が閉じられる。このようにして麻雀牌１２枚からなる１段目の牌列１４（１）が３段積みプレート１１４上に形成されると、モータ１１０が正回転して３段積みプレート１１４を牌１枚の高さ分だけ下方に回動させ、センサＳ１０２が３段積みプレート１１４を感知したときにモータ１１０の回転を停止させると共にソレノイド７８を解除して仕切片７６を下に移動させて誘導路５８の入口６０が開くように設定する。そうすると、麻雀牌１４が誘導路５８に誘導されて載置部６２上に案内され、押入機構６８の水平バー７０により、載置部６２上の麻雀牌１４が段積み手段１００の挿入口６４に順次押し入れられ、図１４に示すように３段積みプレート１１４上の１段目の牌列１４（１）の上に２段目の牌列１４（２）が形成されていくことになる。そして、誘導路５８のフォトセンサ８０が１１枚の麻雀牌１４を数えたときにソレノイド７８が作動して仕切片７６により誘導路５８の入口６０が閉じられる。このようにして麻雀牌１１枚からなる２段目の牌列１４（２）が３段積みプレート１１４上に形成される。なお、３段積みプレートの端部に１段目の牌列１４（１）の高さと同高さの段部１３４を設けているが、これは麻雀牌の数を増やすことなどによって１段目に並べる牌の数より２段目及び３段目に並べる牌の数の方が多い場合があるためである。そして、モータ１１０が正回転して３段積みプレート１１４を牌１枚の高さ分だけ下方に回動させ、センサＳ１０３が３段積みプレート１１４を感知したときにモータ１１０の回転を停止させると共にソレノイド７８を解除して仕切片７６を下に移動させて誘導路５８の入口６０が開くように設定する。そうすると、麻雀牌１４が誘導路５８に誘導されて載置部６２上に案内され、押入機構６８の水平バー７０により、載置部６２上の麻雀牌１４が段積み手段１００の挿入口６４に順次押し入れられ、図１５に示すように３段積みプレート１１４上の２段目の牌列１４（２）の上に３段目の牌列１４（３）が形成されていくことになる。そして、誘導路５８のフォトセンサ８０が１１枚の麻雀牌１４を数えたときにソレノイド７８が作動して仕切片７６により誘導路５８の入口６０が閉じられる。このようにして麻雀牌１１枚からなる３段目の牌列１４（３）が３段積みプレート１１４上に形成される。このようにして各競技者の３段積みプレート１１４上に牌が３段に積み重ねられるとモータ３２が停止し、牌撹拌手段２６、牌取り出し手段３４、及び、牌案内手段５０の作動が停止する。
【００３７】
そして、今度はモータ１１０を逆回転させて、図１６に示すように、３段積みプレート１１４が水平になるまで、すなわち第２突出軸１２４がガイド孔１２８の上端１３０に接するまで上方に回動させ、その後、３段積みプレート１１４を、その水平状態を維持したままでさらに上昇させ、図１７に示すようにセンサＳ１０４が３段積みプレート１１４を感知したときにモータ１１０の回転を停止させる。それと共に後述する積み替え手段２００が作動して３段目の牌列１４（３）及び２段目の牌列１４（２）が積み替えられ、３段積みプレート１１４から除去される。その積み替えが完了したときに、３段積みプレート１１４を、その水平状態を維持したままでさらに上昇させ、図１８に示すようにセンサＳ１０５が３段積みプレート１１４を感知したときにモータ１１０の回転を停止させる。それと共に後述する積み替え手段２００が作動して１段目の牌列１４（１）が積み替えられ、３段積みプレート１１４から除去される。この積み替え動作が完了したときに、モータ１１０が正回転し、３段積みプレート１１４は図１３に示されるようにセンサＳ１０１が感知する位置まで下降してモータ１１０が停止して３段積みプレート１１４の下降が停止する。なお、閉塞蓋１８を閉塞するスイッチ２０ｂが押された後、牌浮上手段３００が下降して積み替え手段２００が作動し、牌浮上手段３００により牌山１４ａ及び配牌１４ｂが天板上に浮上した後は天板上では麻雀ゲームが行われており、麻雀卓内部の駆動機構は、３段積みプレート１１４に麻雀牌が３段積みされた後、停止し、その麻雀ゲームが終了後、牌投入口１６から麻雀牌が投入されて開閉蓋１８を閉塞するスイッチ２０ｂが押されるのを待つ待機状態となる。
【００３８】
［積み替え手段］
図１９は積み替え手段２００の斜視図、図２０は積み替え手段２００の分解斜視図、図２１は積み替え手段２００の概略側面図である。なお、本実施例においてモータ２２０の駆動によりプッシャー２３８を水平方向に往復動させる構造が押動手段２０１である。図において２０２は、Ｌ字型基板であり、このＬ字型基板２０２の垂下部２０４は、図２１に示すように前記段積み手段１００におけるＬ字型ベース板１０２の機内ガイド１０６とは反対側の側面に固定される。なお、このＬ字型基板２０２は、段積み手段１００における昇降ブラケット１２０の昇降の障害にならないようにブラケット通過溝２０６、２０８が形成されている。
【００３９】
また、Ｌ字型基板２０２の水平部２１０の裏面には、伝達軸２１２が取着されており、その両端には回動部材２１４、２１６が嵌合されている。回動部材２１４には第１アーム２１４ａと第２アーム２１４ｂとが配されており、第１アーム２１４ａには垂直板２１８がその上端部において回動可能にビス止めされ、垂直板２１８の下端部はモータ２２０に軸着されたホイール２２２の周囲部に回動可能にビス止めされている。このホイール２２２には切欠溝２２３が形成され、ホイール２２２を挟むようにセンサＳ２０１、Ｓ２０２が対称位置に配されている。そして、前記垂直板２１８が最下位置に達したときにセンサＳ２０１が切欠溝２２３を感知し、前記垂直板２１８が最上位置に達したときにセンサＳ２０２が切欠溝２２３を感知するように構成し、センサＳ２０１、Ｓ２０２それぞれが切欠溝２２３を感知した時点でモータ２２０の回転が停止するようになっている。したがって当該モータ２２０は１８０度回転すれば各センサＳ２０１、Ｓ２０２により停止するようになっている。回動部材２１４の第２アーム２１４ｂには第１水平板２２６がその一端部において回動可能にビス止めされており、第１水平板２２６の他端部は後述するプッシャー２３８に付設した第１突出軸２３５が回動自在に嵌め込まれている。したがって、モータ２２０が回転すると、その回転運動が垂直板２１８を垂直往復運動させ、この垂直板２１８の垂直往復運動が回動部材２１４の第１アーム２１４ａを介して中心軸２１５に回転運動を付与し、それに伴って第２アーム２１４ｂが回転運動し、この回転運動が第１水平板２２６を水平往復運動させることとなる。また、回動部材２１４が回転すると伝達軸２１２を介して回動部材２１６が回転する。回動部材２１６には第１アーム２１６ａが配されており、第１アーム２１６ａには第２水平板２２８がその一端部において回動可能にビス止めされており、第２水平板２２８の他端部は後述するプッシャー２３８に付設した第２突出軸２３７が回動自在に嵌め込まれている。したがって、回動部材２１６の回転により第１アーム２１６ａが回転し、それに伴って第２水平板２２８が水平往復運動することになる。以上の構成から、モータ２２０が回転すると第１水平板２２６及び第２水平板２２８が水平往復運動することとなり、それに伴ってプッシャー２３８が水平往復運動することとなる。
【００４０】
前記Ｌ字型基板２０２の水平部２１０の上面両端部には、コの字型の受け部材２３０、２３２が取り付けられており、各受け部材２３０、２３２にはそれぞれ水平軸２３１、２３３が取り付けられている。そして、この水平軸２３１、２３３にはスライド部材２３４、２３６を介してプッシャー２３８が水平方向にスライド可能に取り付けられている。プッシャー２３８は横長に起立した板状体よりなり、前述の段積み手段１００により３段積みされた牌列１４（１）、１４（２）、１４（３）を押動して後述する牌浮上手段３００に積み替える機能を果たす。そして、前記スライド部材２３４、２３６にはそれぞれ前述した第１突出軸２３５、第２突出軸２３７が取り付けられており、モータ２２０の回転によりプッシャー２３８が水平方向に往復動するようになっている。すなわち、モータ２２０が回転してプッシャー２３８が一の方向に水平移動することにより段積みされた２段目の牌列１４（２）及び３段目の牌列１４（３）を押動し、モータ２２０のホイール２２２の切欠溝２２３をセンサＳ２０２が感知してプッシャー２３８が停止する。この停止信号がモータ１１０を作動させて３段積みプレート１１４を図１８に示す位置まで上昇させ、その際に感知するセンサＳ１０５によりモータ１１０の回転が停止して３段積みプレート１１４が停止すると共にモータ２２０が回転してプッシャー２３８が逆方向に水平移動することにより１段目の牌列１４（１）を押動し、モータ２２０のホイール２２２の切欠溝２２３をセンサＳ２０１が感知してモータ２２０が停止し、プッシャー２３８が停止する。この停止信号がモータ１１０を作動させて３段積みプレート１１４を図１３に示す位置まで下降させ、その際に感知するセンサＳ１０１によりモータ１１０の回転が停止して３段積みプレート１１４が停止する。なお、センサＳ２０１が感知すると前記のようにプッシャー２３８が停止し、３段積みプレート１１４が下降すると共に後述する牌浮上手段３００が作動するように設定されている。
【００４１】
次に図２２〜図２７により積み替え手段２００によって、麻雀牌が積み替えられる過程を説明する。
【００４２】
図２２は図１７に示す位置まで３段積みプレート１１４が上昇した状態を示す概略側面図である。図において３０１は麻雀卓中央寄りに位置する第１昇降台であり、３０２は麻雀卓外寄りに位置する第２昇降台である。この状態は、３段積みプレート１１４がその上に牌を３段積みして停止しており、天板上での麻雀ゲームが終了し、天板上の麻雀牌が牌投入口１６から麻雀卓内部に投入されて、牌投入口の開閉蓋１８を閉塞するスイッチ２０ｂが押されるのを待機する状態である。そして、スイッチ２０ｂが押されると、開閉蓋１８により牌投入口１６が閉塞されると共に、第１昇降台３０１及び第２昇降台３０２が図２３に示す位置、すなわち３段積みされた麻雀牌の上から２段分の位置まで降下する。その際センサが感知して、第１昇降台３０１及び第２昇降台３０２の降下を停止させると共にモータ２２０が作動してプッシャー２３８が図において右から左に水平移動し、その移動に伴って、３段積みされた麻雀牌のうち、２段目の牌列１４（２）及び３段目の牌列１４（３）が、２段重ねの状態を維持しながら、第１昇降台３０１上に積み替えられ、図２４の状態となる。
【００４３】
その際、センサＳ２０２が感知してモータ２２０の作動が停止すると共にモータ１１０が作動して３段積みプレート１１４が上昇し、センサＳ１０５が感知してモータ１１０が停止すると共に３段積みプレート１１４が停止して、図２５及び図１８に示す状態となる。その際、モータ２２０が作動してプッシャー２３８が図において左から右に水平移動し、その移動に伴って、３段積みされた麻雀牌のうち、１段目の牌列１４（１）が第２昇降台３０２上に積み替えられ、図２６の状態となる。その際、センサＳ２０１が感知してモータ２２０の作動が停止すると共に第１昇降台３０１及び第２昇降台３０２が上昇して天板と面一になる位置まで達して停止し、また、モータ１１０が作動して３段積みプレート１１４が下降し、センサＳ１０１が感知して３段積みプレート１１４が停止して図２７に示す状態となり、次の牌を受け入れる体制となる。このように構成することにより、天板上に１１枚２段積みの牌山１４ａと１２枚１段積みの配牌１４ｂとが形成される。
【００４４】
［牌浮上手段］
牌浮上手段３００は、図９及び図２８に示されるように、４隅のコーナー部材３０３と各コーナ部材を連絡するように架橋された第１昇降台３０１及び第２昇降台３０２とからなる矩形枠体３０４と、この矩形枠体３０４を上下動させる昇降手段３０５とから構成される。昇降手段３０５は麻雀卓内部の底面に４隅に固設された断面Ｌ字状の起立部材３０６と、各起立部材に上下動可能に配され、矩形枠体３０４と結合した各１対のスライド部材３０７と、矩形枠体３０４と２箇所において連結棒３０８を介して配されたモータ３０９とから構成される。前記矩形枠体３０４とモータ３０９それぞれとの間に配した連結棒３０８は、その下端部が各モータ３０９に軸着したホイール３１０と回転可能にビス止めされており、また、各連結棒３０８の上端部は矩形枠体３０４から垂下する垂下部材３１１と回転可能にビス止めされている。また、ホイール３１０それぞれには切欠溝３１２が形成されており、各切欠溝３１２に対してそれぞれ対称位置にセンサＳ３０１、Ｓ３０２が設けられており、モータ３０９が１８０度回転する毎に停止するようになっている。
【００４５】
矩形枠体３０４を構成する４隅のコーナー部材３０３は、その両端部が内側端部３０３ａと外側端部３０３ｂとにそれぞれ２分されており、内側端部３０３ａには第１昇降台３０１が架橋され、外側端部３０３ｂには第２昇降台３０２が架橋されている。また、４箇所の第１昇降台３０１及び第２昇降台３０２のそれぞれには、前述した段積み手段１００及び積み替え手段２００が配置されている。なお、図９及び図２８は１箇所にだけ段積み手段１００及び積み替え手段２００を配置した状態を示しており、便宜上、他の３箇所は省略した。
【００４６】
図９は、牌浮上手段３００が上昇した状態を示す概略斜視図であり、図２８は牌浮上手段３００が下降した状態を示す概略斜視図であり、図９の状態においてモータ３０９が回転すると、連結棒３０８及び垂下部材３１１を介して第１昇降台３０１及び第２昇降台３０２を含めた矩形枠体３０４の全体が下方に引っ張られ、各スライド部材３０７が下方にスライドするので、矩形枠体３０４が垂直方向に下降するように案内される結果、矩形枠体３０４が水平状態を維持しながら垂直方向に下降する。なお、第１昇降台３０１及び第２昇降台３０２は、前述したように天板上の麻雀牌を投入する牌投入口１６の開閉蓋１８を閉塞するスイッチ２０ｂが押されたときに下降するようになっている。そして、矩形枠体３０４が最下端に達した時点、すなわち図２８に示す状態において各モータ３０９のホイール３１０に形成された切欠溝３１２をセンサＳ３０１が感知して各モータ３０９を停止させるようになっている。その後、前述したように３段積みプレート１１４に段積みされている麻雀牌が第１昇降台３０１及び第２昇降台３０２に積み替えられ、その完了の信号をセンサＳ２０１が感知するとモータ３０９が回転し、連結棒３０８及び垂下部材３１１を介して第１昇降台３０１及び第２昇降台３０２を含めた矩形枠体３０４の全体が各スライド部材３０７に案内されて水平状態を維持しながら垂直方向に上昇し、図９に示す状態において各モータ３０９のホイール３１０に形成された切欠溝３１２をセンサＳ３０２が感知して各モータ３０９を停止させ、天板上に第１昇降台３０１に載置された１１枚２段積みの牌山１４ａと第２昇降台３０２に載置された１２枚１段積みの配牌１４ｂとが形成される。
【００４７】
［自動麻雀卓の動作］
次に、本実施例に係る自動麻雀卓の動作の流れについて説明する。図２９は、自動麻雀卓の段積み手段の動作を除くフローチャートであり、図３０は、段積み手段の動作のフローチャートである。
【００４８】
図２９は、麻雀ゲームの１局が終了し、麻雀牌が天板上に散乱している時点から始まる。まず、スイッチ２０ａを押して、天板上の開閉蓋１８を開口させる。そして開口した牌投入口１６から麻雀卓内部に麻雀牌を落下させる。天板上の全ての麻雀牌を麻雀卓内部に落下させた後、スイッチｂを押して開閉蓋を閉塞させる。
【００４９】
そして上記スイッチｂを押すことによりモータ３２が駆動して洗牌システム、すなわち、牌撹拌手段２６、牌取り出し手段３４、牌案内手段５０が作動する。
【００５０】
また、スイッチ２０ｂを押すことにより、モータ３０９が駆動して牌浮上手段３００が作動する。牌浮上手段３００は、まず、モータ３０９の駆動により天板面に位置していた第１昇降台３０１及び第２昇降台３０２が下降し、所定位置まで下降した時点でセンサＳ３０１が感知してモータ３０９が停止し、第１昇降台３０１及び第２昇降台３０２の下降が停止する。この時点で牌浮上手段３００は一旦停止する。
【００５１】
そして上記のセンサＳ３０１の感知によりモータ２２０が駆動して積み替え手段２００が作動する。積み替え手段２００は、まず、モータ２２０の駆動によりプッシャー２３８が作動して、段積み手段１００における段積みプレート１１４上の３段積みの麻雀牌１４（１）、１４（２）、１４（３）のうち、上２段の麻雀牌１４（２）、１４（３）が第１昇降台３０１に積み替えられる。この積み替えが完了すると、センサＳ２０２が感知してモータ２２０が停止し、プッシャー２３８が停止する。また、上記センサＳ２０２の感知により段積み手段１００におけるモータ１１０が駆動し、段積みプレート１１４が上昇する。この段積みプレート１１４が麻雀牌２段分の高さだけ上昇するとセンサＳ１０５が感知してモータ１１０が停止し、段積みプレート１１４が停止する。このセンサＳ１０５の感知により積み替え手段２００におけるモータ２２０が駆動し、プッシャー２３８が作動して段積み手段１００における段積みプレート１１４上の残る１段積みの麻雀牌１４（１）が第２昇降台３０２に積み替えられる。この積み替えが完了すると、センサＳ２０１が感知してモータ２２０が停止し、プッシャー２３８が停止する。
【００５２】
そして上記のセンサＳ２０１の感知により、再び牌浮上手段３００におけるモータ３０９が駆動し、２段積みの麻雀牌１４（２）、１４（３）を積載した第１昇降台３０１及び１段積みの麻雀牌１４（１）を積載した第２昇降台３０２が上昇し、天板面まで達するとセンサＳ３０２が感知して、モータ３０９が停止し、第１昇降台３０１及び第２昇降台３０２の上昇が停止する。
【００５３】
このようにして、天板上に２段積みの麻雀牌１４（２）、１４（３）からなる牌山１４ａと１段積みの麻雀牌１４（１）からなる配牌１４ｂが形成され、麻雀ゲームを開始することができる。
【００５４】
また、図３０に示すように、上記センサＳ２０１の感知により、前記した先の麻雀ゲーム終了後に麻雀卓内部に落下させて洗牌システムにより撹拌、牌取り出し、牌案内が行われている麻雀牌に対し、これを３段積みにする動作が開始される。
【００５５】
すなわち、上記センサＳ２０１の感知により、段積み手段１００におけるモータ１１０が駆動し、段積みプレート１１４が下降して、洗牌システムにおける牌案内手段５０の載置部６２の位置に段積みプレート１１４における挿入口６４が達するとセンサＳ１０１が感知してモータ１１０が停止し、段積みプレート１１４の下降が停止する。このセンサＳ１０１の感知により、各牌案内手段５０におけるソレノイド７８が作動して仕切片７６による誘導路５８の入口６０が開かれ、麻雀牌が誘導路５８に進入できるようになる。そして、各誘導路５８に設けたフォトセンサ８０がそれぞれ１２枚の麻雀牌をカウントしたときに、各牌案内手段５０におけるソレノイド７８が作動して仕切片７６による誘導路５８の入口６０が閉じられ、麻雀牌が誘導路に進入できなくなる。これにより、段積みプレート１１４に１２枚からなる１段目の牌１４（１）が形成される。
【００５６】
また、上記の各誘導路５８に設けたフォトセンサ８０がそれぞれ１２枚の麻雀牌をカウントしたときに、段積み手段１００におけるモータ１１０が駆動し、段積みプレート１１４が下降し、麻雀牌１段分の高さだけ下降するとセンサＳ１０２が感知してモータ１１０が停止し、段積みプレート１１４の下降が停止する。このセンサＳ１０２の感知により、各牌案内手段５０におけるソレノイド７８が作動して仕切片７６による誘導路５８の入口６０が開かれ、麻雀牌が誘導路５８に進入できるようになる。そして、各誘導路５８に設けたフォトセンサ８０がそれぞれ１１枚の麻雀牌をカウントしたときに、各牌案内手段５０におけるソレノイド７８が作動して仕切片７６による誘導路５８の入口６０が閉じられ、麻雀牌が誘導路に進入できなくなる。これにより、段積みプレート１１４に１１枚からなる２段目の牌１４（２）が形成される。
【００５７】
また、上記の各誘導路５８に設けたフォトセンサ８０がそれぞれ１１枚の麻雀牌をカウントしたときに、段積み手段１００におけるモータ１１０が駆動し、段積みプレート１１４が下降し、さらに麻雀牌１段分の高さだけ下降するとセンサＳ１０３が感知してモータ１１０が停止し、段積みプレート１１４の下降が停止する。このセンサＳ１０３の感知により、各牌案内手段５０におけるソレノイド７８が作動して仕切片７６による誘導路５８の入口６０が開かれ、麻雀牌が誘導路５８に進入できるようになる。そして、各誘導路５８に設けたフォトセンサ８０がそれぞれ１１枚の麻雀牌をカウントしたときに、各牌案内手段５０におけるソレノイド７８が作動して仕切片７６による誘導路５８の入口６０が閉じられ、麻雀牌が誘導路に進入できなくなる。これにより、段積みプレート１１４に１１枚からなる３段目の牌１４（３）が形成される。
【００５８】
そして、上記の各誘導路５８に設けたフォトセンサ８０がそれぞれ１１枚の麻雀牌をカウントしたときに、洗牌システムを作動させているモータ３２が停止し、洗牌システムが停止する。そして、段積み手段１００におけるモータ１１０が駆動し、３段積みの麻雀牌１４（１）、１４（２）、１４（３）を積載した段積みプレート１１４が上昇する。そして、センサＳ１０４が感知してモータ１１０が停止し、段積みプレート１１４が停止する。この状態おいて洗牌システム及び牌整列システムは全て停止しており、図２９におけるフローチャートの出発であるスイッチ２０ａが押されるまで、すなわち、麻雀ゲーム１局が終了するまで待機することとなる。
【００５９】
なお、フォトセンサ８０が１１枚の麻雀牌をカウントして段積みプレート１１４に３段積みの牌１４（３）が形成されたときに、段積みプレート１１４を上昇させずに洗牌システムの作動モータ３２を停止させた状態で麻雀ゲームが終了するまでの待機状態とし、スイッチ２０ａが押されたときに段積み手段１００におけるモータ１１０が駆動し、３段積みの麻雀牌１４（１）、１４（２）、１４（３）を積載した段積みプレート１１４が上昇する。そして、センサＳ１０４が感知してモータ１１０が停止し、段積みプレート１１４が停止するするようにしてもよい。
【００６０】
以上のように、本実施例に係る自動麻雀卓の動作は、スイッチ２０ａを押圧すること、牌投入口１６から麻雀牌を麻雀卓内部に落下させること及びスイッチ２０ｂを押圧することを行うだけで、天板上に１１枚２段積みの牌山１４ａと１２枚１段積みの配牌１４ｂが形成できる。
【００６１】
以上の本実施例における麻雀卓の構成により、山牌と配牌とが自動的に天板上に形成されるので、従来の麻雀卓に比較してゲーム進行の手数が減ると共に時間が短縮できるので、快適でスムーズに麻雀ゲームを行うことができ、かつ、麻雀ゲーム中及び麻雀ゲーム後の疲労を軽減させる。
【００６２】
なお、上記の実施例は、これに限定されるものではなく、特許請求の範囲に記載した広範囲な実施形態を包含するものである。
【００６３】
【発明の効果】
本発明に係る自動麻雀卓は、その特徴ある構成により、天板上に牌山と配牌とを自動的に形成することができるため、競技者の手数を少なくすることができるので疲労の低減を図ることができ、かつ、迅速に麻雀ゲームの進行ができるので時間の節約を図ることができる。
【図面の簡単な説明】
【図１】本発明の実施例を示す自動麻雀卓の斜視図である。
【図２】本発明の実施例の自動麻雀卓において使用する牌の半断面斜視図である。
【図３】本発明の実施例を示す自動麻雀卓の内部構造の概略断面図である。
【図４】本発明の実施例を示す自動麻雀卓において、開閉蓋により牌投入口が閉塞されている状態を表した平面図である。
【図５】本発明の実施例を示す自動麻雀卓の内部構造を示す一部切欠平面図である。
【図６】本発明の実施例を示す自動麻雀卓の牌取り出し手段の斜視図である。
【図７】本発明の実施例を示す自動麻雀卓の牌案内手段の斜視図である。
【図８】本発明の実施例を示す自動麻雀卓の牌案内手段の平面図である。
【図９】本発明の実施例を示す自動麻雀卓の牌整列システムの全体を示す概略斜視図であって、牌浮上手段が上昇した状態を示す概略斜視である。
【図１０】本発明の実施例を示す自動麻雀卓の段積み手段と積み替え手段とを組み合わせた状態を示す斜視図である。
【図１１】本発明の実施例を示す自動麻雀卓の段積み手段の斜視図である。
【図１２】本発明の実施例を示す自動麻雀卓の段積み手段の分解斜視図である。
【図１３】本発明の実施例を示す自動麻雀卓の３段積みプレートに１段目の麻雀牌が並べられる状態を示す概略図である。
【図１４】本発明の実施例を示す自動麻雀卓の３段積みプレート上の１段目の牌列の上に２段目の牌列が形成されていく状態を示す概略図である。
【図１５】本発明の実施例を示す自動麻雀卓の３段積みプレート上の２段目の牌列の上に３段目の牌列が形成されていく状態を示す概略図である。
【図１６】本発明の実施例を示す自動麻雀卓の３段積みプレートが水平状態まで回動した状態を示す概略図である。
【図１７】本発明の実施例を示す自動麻雀卓の３段積みプレートが水平状態を維持した状態で上２段の牌列が移動可能になる位置まで上昇した状態を示す概略図である。
【図１８】本発明の実施例を示す自動麻雀卓の３段積みプレートが水平状態を維持した状態で最下段の牌列が移動可能になる位置まで上昇した状態を示す概略図である。
【図１９】本発明の実施例を示す自動麻雀卓の積み替え手段の斜視図である。
【図２０】本発明の実施例を示す自動麻雀卓の積み替え手段分解斜視図である。
【図２１】本発明の実施例を示す自動麻雀卓の積み替え手段の概略側面図である。
【図２２】本発明の実施例を示す自動麻雀卓の３段積みプレート１１４が上２段の牌列が移動可能になる位置まで上昇した状態を示す概略側面図である。
【図２３】図２２の状態から、第１昇降台及び第２昇降台が下降した状態を示す概略側面図である。
【図２４】図２３の状態から、第１昇降台に上２段の牌列が移動した状態を示す概略側面図である。
【図２５】本発明の実施例を示す自動麻雀卓の３段積みプレート１１４が最下段の牌列が移動可能になる位置まで上昇した状態を示す概略側面図である。
【図２６】図２５の状態から、第２昇降台に最下段の牌列が移動した状態を示す概略側面図である。
【図２７】図２６の状態から、第１昇降台及び第２昇降台が上昇し、天板上に２段積みの牌山及び１段積みの配牌が配置された状態を示す概略側面図である。
【図２８】本発明の実施例を示す自動麻雀卓の牌整列システムの全体を示す概略斜視図であって、牌浮上手段が下降した状態を示す概略斜視である。
【図２９】本発明の実施例を示す自動麻雀卓の動作の一部を示すフローチャートである。
【図３０】本発明の実施例を示す自動麻雀卓の動作の一部を示すフローチャートである。
【符号の説明】
１０・・・自動麻雀卓          １２・・・天板
１６・・・牌投入口            １８・・・開閉蓋
１８ａ・・開閉蓋の奥側        １８ｂ・・開閉蓋の手前側
２０・・・スイッチ盤          ２０ａ・・開口スイッチ
２０ｂ・・閉塞スイッチ        ２２・・・支持脚
１４・・・麻雀牌              １４ａ・・牌山
１４ｂ・・配牌                １４（１）・１段目の牌列
１４（２）・２段目の牌列      １４（３）・３段目の牌列
２４・・・磁石
Ａ・・・・洗牌システム
２６・・・牌撹拌手段          ２８・・・回転体
３０・・・歯車                ３２・・・モータ
３４・・・牌取り出し手段      ３５・・・カバー
３６・・・回転部材            ３８・・・磁石
４０・・・突片                ４２・・・歯車
４４・・・軸                  ４６・・・磁石
５０・・・牌案内手段          ５４・・・支持棒
５６・・・基部                ５８・・・誘導路
６０・・・入口                ６２・・・載置部
６４・・・挿入口              ６６・・・磁石
６８・・・押入機構            ６９・・・ピン
７０・・・水平バー            ７２・・・押入片
７３・・・コロ                ７４・・・カム
７５・・・バネ                ７６・・・仕切り片
７８・・・ソレノイド          ８０・・・フォトセンサ
Ｂ・・・・牌整列システム
１００・・段積み手段          １０１・・上下動手段
１０２・・Ｌ字型ベース板      １０３・・Ｌ字型ベース板の基部
１０４・・スライド部材        １０６・・機内ガイド
１０８・・ギヤボックス        １１０・・モータ
１１２・・回動アーム          １１３・・回動アームの自由端
１１４・・３段積みプレート    １１６・・第１突出軸
１１８・・軸受け部材          １２０・・昇降ブラケット
１２２・・第１ガイド溝        １２４・・第２突出軸
１２６・・第２ガイド溝        １２７・・第２ガイド溝の下端
１２８・・ガイド孔            １２９・・ガイド孔の下端
１３０・・ガイド孔の上端      １３２・・スプリング
１３４・・段部                Ｓ１０１・センサ
Ｓ１０２・センサ              Ｓ１０３・センサ
Ｓ１０４・センサ              Ｓ１０５・センサ
２００・・積み替え手段        ２０１・・押動手段
２０２・・Ｌ字型基板          ２０４・・Ｌ字型基板の垂下部
２０６・・ブラケット通過溝    ２０８・・ブラケット通過溝
２１０・・Ｌ字型基板の水平部  ２１２・・伝達軸
２１４・・回動部材            ２１４ａ・第１アーム
２１４ｂ・第２アーム          ２１５・・中心軸
２１６・・回動部材            ２１６ａ・第１アーム
２１８・・垂直板              ２２０・・モータ
２２２・・ホイール            ２２３・・ホイールの切欠溝
２２６・・第１水平板          ２２８・・第２水平板
２３０・・受け部材            ２３１・・水平軸
２３２・・受け部材            ２３３・・水平軸
２３４・・スライド部材        ２３５・・第１突出軸
２３６・・スライド部材        ２３７・・第２突出軸
２３８・・プッシャー          Ｓ２０１・センサ
Ｓ２０２・センサ
３００・・牌浮上手段          ３０１・・第１昇降台
３０２・・第２昇降台          ３０３・・コーナ部材
３０３ａ・内側端部            ３０３ｂ・外側端部
３０４・・矩形枠体            ３０５・・昇降手段
３０６・・起立部材            ３０７・・スライド部材
３０８・・連結棒              ３０９・・モータ
３１０・・ホイール            ３１１・・垂下部材
３１２・・切欠溝              Ｓ３０１・センサ
Ｓ３０２・センサ
【図１】
2004242804.tif 000003
【図２】
2004242804.tif 000004
【図３】
2004242804.tif 000005
【図４】
2004242804.tif 000006
【図５】
2004242804.tif 000007
【図６】
2004242804.tif 000008
【図７】
2004242804.tif 000009
【図８】
2004242804.tif 000010
【図９】
2004242804.tif 000011
【図１０】
2004242804.tif 000012
【図１１】
2004242804.tif 000013
【図１２】
2004242804.tif 000014
【図１３】
2004242804.tif 000015
【図１４】
2004242804.tif 000016
【図１５】
2004242804.tif 000017
【図１６】
2004242804.tif 000018
【図１７】
2004242804.tif 000019
【図１８】
2004242804.tif 000020
【図１９】
2004242804.tif 000021
【図２０】
2004242804.tif 000022
【図２１】
2004242804.tif 000023
【図２２】
2004242804.tif 000024
【図２３】
2004242804.tif 000025
【図２４】
2004242804.tif 000026
【図２５】
2004242804.tif 000027
【図２６】
2004242804.tif 000028
【図２７】
2004242804.tif 000029
【図２８】
2004242804.tif 000030
【図２９】
2004242804.tif 000031
【図３０】
2004242804.tif 000032